(57)【要約】【課題】本発明は、喫煙ブースのドアが自動的に閉じられるように構成された喫煙ブースに関するものである。【解決手段】本発明は、ベース２または底面に垂直に固定設置される複数の側板４と、上記側板の上部に固定する天板６と、上記ベース２と天板６の間で側方でスライド移動しながら開閉されるドア８を含み、上記ドア８には、ドア８が開かれた状態の場合、このドア８を自動的に閉じるようにする閉鎖手段２２、２４が設けられた喫煙ブースを提供する。【選択図】図２
2017198058.tif 000002
【特許請求の範囲】
【請求項１】
ベースまたは底面に垂直に固定設置される複数の側板と、前記側板の上部に固定する天板と、前記ベースと天板の間で側方にスライド移動しながら開閉されるドアを含み、
前記ドアにはドアが開かれた状態の場合、このドアを自動的に閉じるようにする閉鎖手段が設けられた喫煙ブース。
【請求項２】
前記閉鎖手段は、一端がドアに固定されるワイヤーと、前記ワイヤーの他端に固定されドアを閉鎖方向にスライド移動させる重りを有することを特徴とする請求項１に記載の喫煙ブース。
【請求項３】
前記ワイヤーおよび重りはフレーム内部に設置されたことを特徴とする請求項２に記載の喫煙ブース。
【請求項４】
前記ワイヤーは摩擦力を減らすための滑車に支持されていることを特徴とする請求項２に記載の喫煙ブース。
【発明の詳細な説明】
【技術分野】
【０００１】
本発明は喫煙ブースに関するものであって、より詳しくは喫煙ブースのドアが自動的に閉じられるように構成された喫煙ブースに関するものである。
【背景技術】
【０００２】
タバコの燃焼により幾多の発ガン物質が発生すると知られるとともに、このようなタバコによる被害を減らすために多様な禁煙政策およびキャンペーンが展開されている。
【０００３】
それに伴って、公共建物や病院および公園などはすべての区域が禁煙区域に定められる場合が多く、このような禁煙区域は順次拡大している。
【０００４】
そのために喫煙場所はますます減っており、喫煙者および非喫煙者などのために喫煙ブースを設置して定められた場所だけで喫煙ができるように誘導している。
【０００５】
喫煙ブースは大部分の場合、密閉された空間からなり、前面には喫煙者が喫煙ブースに出入することができるようにドアが設けられた構造を有する。
【０００６】
このような喫煙ブースはベースと、このベースに固定され側面を取り囲む複数の側板と、利用者が出入できるドアと、上記側板の上部に設けられる天板などで構成される。
【０００７】
上記ベースは喫煙ブースの設置場所によっては省略されることもある。
【０００８】
上記側板、ドア、天板などは強化ガラスまたは金属または合成樹脂パネルなどからなり、このようなそれぞれの部材はフレームを通して固定設置される。
【０００９】
しかし、このような従来の喫煙ブースは喫煙ブースに出入する時、ドアを手動で開け閉めするようになっているので喫煙ブースを利用するのに不便が伴う。
【００１０】
もしも喫煙ブースに出入する時、ドアが完全に閉じられなければ喫煙ブース内部のタバコ煙が外部に流出して非喫煙者に被害を与える可能性もある。
【００１１】
また、ドアを非常に強く閉じた時も、ドアが閉じられた後の反発力によって再び開いてしまう。
【先行技術文献】
【特許文献】
【００１２】
【特許文献１】韓国公開特許第１０−２０１２-０１１４９１２号
【発明の概要】
【発明が解決しようとする課題】
【００１３】
本発明は上記のような従来の問題点を解決するために提案されたものであって、本発明の目的は喫煙ブースのドアが自動的に閉まるように構成された喫煙ブースを提供することにある。
【課題を解決するための手段】
【００１４】
本発明が提案する喫煙ブースは、ベースまたは底面に垂直に固定設置される複数の側板と、上記側板の上部に固定する天板と、上記ベースと天板の間で側方にスライド移動して開閉されるドアを含み、
上記ドアにはドアが開かれた状態にある場合、このドアを自動的に閉じるようにする閉鎖手段が設けられた喫煙ブースを提供する。
【００１５】
上記閉鎖手段は、一端がドアに固定されるワイヤーと、上記ワイヤーの他端に固定されてドアを閉鎖方向にスライド移動させる重りを有する。
【００１６】
上記ワイヤーおよび重りは、フレーム内部に設置され、上記ワイヤーは摩擦力を減らせるように滑車により支持される。
【発明の効果】
【００１７】
本発明による喫煙ブースは喫煙ブース内部に出入する時、ドアが開いたままでも閉鎖手段によってドアが自動的に閉じ喫煙ブースをより便利に利用することができる。
【００１８】
また、ドアを非常に強く閉じた時、ドアが閉じられた後の反発力によって再び開いても閉鎖手段によってドアが自動的に再び閉じて喫煙ブース内部のタバコ煙が外部に流出するのを防止することができる。
【００１９】
また、閉鎖手段はフレーム内部に設置されて外部からは見えないので喫煙ブースの美観を損なわずデザイン的要素をそのまま維持できる。
【図面の簡単な説明】
【００２０】
【図１】本発明による喫煙ブースの斜視図である。
【図２】本発明による喫煙ブースに提供された閉鎖手段が設置された状態を説明するために、フレームおよびドアフレームの前面部を除去しフレームとドアフレームが分離された状態を示すドアの部分斜視図である。
【図３】図２を正面から見た図面である。
【発明を実施するための形態】
【００２１】
以下、本発明の望ましい実施例を添付した図面を参照してより詳しく説明する。
【００２２】
図１は本発明による喫煙ブースの斜視図であり、図２は本発明による喫煙ブースに提供された閉鎖手段が設置された状態を説明するためにフレームおよびドアフレームの前面部を除去しフレームとドアフレームが分離された状態を示すドアの部分斜視図であり、図３は図２を正面から見た図面である。
【００２３】
喫煙ブースはベース２と、上記ベース２に垂直に固定設置される多数の側板４と、上記側板４の上部に固定する天板６と、上記ベース２と天板６の間で側方にスライド移動しながら開閉されるドア８を含む。
【００２４】
上記ベース２の下部面には喫煙ブースを設置する時、水平を調節するための高さ調節部１０がさらに形成され得る。
【００２５】
そしてベース２および高さ調節部１０は喫煙ブースが設けられる場所によっては省略されることもある。
【００２６】
ドア８が形成された部分の両側コーナーまたはベース２の各コーナーには喫煙ブースの構造的な強度を十分に維持できるようにフレーム１２が設けられる。
【００２７】
またフレーム１２の上部にはドア８を支持するためにドアフレーム１４が設けられる。
【００２８】
上記側板４およびドア８は金属や合成樹脂などを利用してパネル形態に製作したり、または強化ガラスで製作したり、またはパネル形態に構成された一定部分を除去して除去された部分をガラス窓として形成することもできる。
【００２９】
したがって喫煙ブースを構成する側板４は、ガラス窓がない形態であったりまたはガラス窓が提供された形態であったり、さらに一つの喫煙ブースに同一の側板が提供されることも、各面を互いに異なる側板で構成することも可能である。
【００３０】
ドア８が支持されるドアフレーム１４内部にはガイドレール１６が提供され、ドア８にはこのガイドレール１６に沿って移動するローラ１８が設けられる。
【００３１】
したがってドア８はローラ１８がガイドレール１６に沿って水平方向に直線移動しながら開閉されるようになっている。
【００３２】
またドア８の外側および内側にはドアの開閉を容易にするために取っ手２０が設置され得る。
【００３３】
このような喫煙ブースを利用しようとする場合、ドア８を開けて喫煙ブース内部に入った後ドア８を閉じなければならないが、ドア８が完全に閉じられなければ喫煙ブース内部のタバコ煙が外部に流出する。またドア８を非常に強く閉じてもドアが閉じられた後の反発力によって再び開いてしまう。
【００３４】
これを防止するために本発明の喫煙ブースにはドア８が自動的に閉じるように閉鎖手段がさらに提供される。
【００３５】
上記閉鎖手段はドア８に固定するワイヤー２２と、上記ワイヤー２２の他端に固定してドア８を閉鎖方向にスライド移動させる重り２４から構成される。
【００３６】
上記ワイヤー２２は一端側がドアフレーム１４内部に位置して、他端側はドアフレームと直交方向に位置するフレーム１２内部に位置する。
【００３７】
このようなワイヤー２２は実質的に一端がドア８を支持するローラ１８が設けられた固定板に固定される。
【００３８】
また、重り２４はローラ１８と直交方向に位置するフレーム１２内部に上下方向に昇降することができるように配置される。
【００３９】
このようにワイヤー２２および重り２４はフレーム１４、１２内部に位置することになるが、そのために喫煙ブース外部からはこれらが見えず喫煙ブースの美観を損なわず、デザイン的要素をそのまま維持できるようになる。
【００４０】
そして、ワイヤー２２が直交方向に方向が変わる部分には図示されない滑車が設置されワイヤー２２がドア８と一緒に移動したり重り２４と一緒に昇降する時の摩擦力が最小化されるようになっている。
【００４１】
重り２４はドア８が開かれた状態の場合、重り２４の重量によって、開いたドア８を十分に移動させて閉じるようにすることができる重量を有するものが使用される。
【００４２】
このような喫煙ブースは定められた場所に設置されて使用されるが、喫煙者が喫煙のために取っ手２０を掴んでドア８を一方向に開けると、ドア８に設けられたローラ１８がガイドレール１６に沿ってスライド移動しながら閉じられていたドア８が開放される。
【００４３】
ドア８が開放されながらワイヤー２２も共にドア８と一緒に移動すると共に、この時ワイヤー２２に連結された重り２４はフレーム１２内部に沿って上昇する。
【００４４】
喫煙ブース内部に喫煙者が入った後、取っ手２０から手を離せば、上昇した重り２４はその重量によって下降するようになって、このような重り２４の下降によりワイヤー２２がドア８を閉鎖方向にスライド移動させる。
【００４５】
重り２４の下降によりドア８は継続して閉鎖方向にスライド移動しつつ、重り２４はドア８が完全に閉じる時まで下降するようになる。
【００４６】
このような方式によってドア８は自動的に閉じられ、このようにドア８が完全に閉められれば喫煙ブース内部のタバコ煙は外部に流出しない。
【００４７】
またドア８を非常に強く押し閉じた場合でも、ドア８が閉じられた後の反発力によって再び開いてもこのような閉鎖手段によって自動的に再び閉じられ喫煙ブース内部のタバコ煙は外部に流出しない。
【００４８】
喫煙ブース内部から外部に出る時にもドア８の取っ手２０を掴んで側方にスライド移動させて出た後、取っ手２０から手を離せば、上記と同様に重り２４の重量によってワイヤー２２がドア８を閉鎖方向にスライド移動させてドア８を完全に閉じる。
上記においては、本発明の望ましい実施例が例示を目的として説明されているが、これに制限されず、特許請求の範囲と発明の詳細な説明および添付した図面の範囲内で多様に変形して実施することも可能である。
【符号の説明】
【００４９】
２：ベース
４：側板
６：天板
８：ドア
１０：高さ調節部
１２：フレーム
１４：ドアフレーム
１６：ガイドレール
１８：ローラ
２０：取っ手
２２：ワイヤー
２４：重り
【図１】
2017198058.tif 000003
【図２】
2017198058.tif 000004
【図３】
2017198058.tif 000005